(57)【特許請求の範囲】
【請求項１】
筐体と、
音声の入力を受け付ける音声入力部と、
音声を出力する音声出力部と、
前記音声入力部により入力された音声を前記音声出力部に対して出力する補聴部と、
入力操作を検出するタッチセンサと、
前記筐体の動きを伴うイベントが発生したことを検出するイベント検出部と、
前記イベント検出部により前記イベントが発生したことを検出されたことに応じて、前記音声入力部により入力された音声又は前記音声出力部により出力される音声の抑制制御を行い、前記補聴部に、当該抑制制御された音声を前記音声出力部に対して出力させる制御部と、を備え、
前記イベント検出部は、前記タッチセンサにより入力操作が検出された場合、入力操作に係るイベントが発生したことを検出する携帯電子機器。
【請求項２】
筐体と、
音声の入力を受け付ける音声入力部と、
音声を出力する音声出力部と、
前記音声入力部により入力された音声を前記音声出力部に対して出力する補聴部と、
前記筐体を振動させる振動モータと、
前記振動モータの駆動を検出する振動検出部と、
前記筐体の動きを伴うイベントが発生したことを検出するイベント検出部と、
前記イベント検出部により前記イベントが発生したことを検出されたことに応じて、前記音声入力部により入力された音声又は前記音声出力部により出力される音声の抑制制御を行い、前記補聴部に、当該抑制制御された音声を前記音声出力部に対して出力させる制御部と、を備え、
前記イベント検出部は、前記振動検出部により前記振動モータの駆動が検出された場合、振動に係るイベントが発生したことを検出する携帯電子機器。
【請求項３】
前記制御部は、前記イベント検出部により、前記入力操作に係るイベントが所定時間に所定回数以上検出された場合に、前記音声入力部により入力された音声又は前記音声出力部により出力される音声の抑制制御を行う請求項１に記載の携帯電子機器。
【請求項４】
前記制御部は、前記音声入力部により入力された音声のゲイン又は前記音声出力部により出力される音声のゲインの抑制制御を行う請求項１から３のいずれか１項に記載の携帯電子機器。
【請求項５】
前記筐体にかかる加速度を検出する加速度センサを備え、
前記イベント検出部は、前記加速度センサにより検出された加速度が所定値以上である場合、加速度に係るイベントが発生したことを検出する請求項１から４のいずれか１項に記載の携帯電子機器。
【請求項６】
表示部を備え、
前記制御部は、前記抑制制御が行われていることを前記表示部又は前記音声出力部によって報知する請求項１から５のいずれか１項に記載の携帯電子機器。
【発明の詳細な説明】
【技術分野】
【０００１】
本発明は、補聴機能を有する携帯電子機器に関する。
【背景技術】
【０００２】
従来から、筐体の外部の音を集音する集音部と、集音部によって集音された音を出力する第１モードと通話相手の音声を出力する第２モードとを切り替えるモード制御部とを備える携帯電話装置が提案されている（例えば、特許文献１参照）。
【先行技術文献】
【特許文献】
【０００３】
【特許文献１】特開２００９−２６７８７７号公報
【発明の概要】
【発明が解決しようとする課題】
【０００４】
ところで、特許文献１に記載の携帯電話装置では、第１モードにおいて動作している場合に、携帯電話装置が操作されたり、着信時に振動モータが駆動したりすることによって発生した振動を、集音部が筐体の外部の音以外の音として集音する場合がある。携帯電話装置の操作及び振動モータの駆動により発生する振動起因の音は、補聴機能が動作している場合には不要な音である。また、携帯電話装置の操作及び振動モータの駆動により発生する振動起因の音は、振動によるエネルギーが音波に比べて格段に大きいため、筐体外部の音に比べて大きい音として集音される場合があり、補聴時の音声品質を劣化させるおそれがある。
【０００５】
本発明は、補聴機能が動作している場合の音声品質が劣化することを抑制することができる携帯電子機器を提供することを目的とする。
【課題を解決するための手段】
【０００６】
本発明に係る携帯電子機器は、筐体と、音声の入力を受け付ける音声入力部と、音声を出力する音声出力部と、前記音声入力部により受け付けられた音声を前記音声出力部に出力する補聴部と、前記筐体の動きを伴うイベントが発生したことを検出するイベント検出部と、前記イベント検出部により前記イベントが検出されたことに応じて、前記音声入力部により入力された音声又は前記音声出力部により出力される音声の抑制制御を行う制御部と、を備える。
【０００７】
また、上記携帯電子機器では、前記制御部は、前記音声入力部により入力された音声のゲイン又は前記音声出力部により出力される音声のゲインの抑制制御を行うことが好ましい。
【０００８】
また、上記携帯電子機器は、前記筐体にかかる加速度を検出する加速度センサを備え、前記イベント検出部は、前記加速度センサにより検出された加速度が所定値以上である場合、加速度に係るイベントが発生したことを検出することが好ましい。
【０００９】
また、上記携帯電子機器は、入力操作を検出するタッチセンサを備え、前記イベント検出部は、前記タッチセンサにより入力操作が検出された場合、入力操作に係るイベントが発生したことを検出することが好ましい。
【００１０】
また、上記携帯電子機器では、前記制御部は、前記イベント検出部により、前記入力操作に係るイベントが所定時間に所定回数以上検出された場合に、前記音声入力部により入力された音声又は前記音声出力部により出力される音声の抑制制御を行うことが好ましい。
【００１１】
また、上記携帯電子機器は、前記筐体を振動させる振動モータと、前記振動モータの駆動を検出する振動検出部とを備え、前記イベント検出部は、前記振動検出部により前記振動モータの駆動が検出された場合、振動に係るイベントが発生したことを検出することが好ましい。
【００１２】
また、上記携帯電子機器は、表示部を備え、前記制御部は、前記抑制制御が行われていることを前記表示部又は前記音声出力部によって報知することが好ましい。
【発明の効果】
【００１３】
本発明によれば、補聴機能が動作している場合の音声品質が劣化することを抑制することができる。
【図面の簡単な説明】
【００１４】
【図１】本実施形態に係る携帯電話装置の外観斜視図である。
【図２】本実施形態に係る携帯電話装置の機能を示すブロック図である。
【図３】本実施形態に係る携帯電話装置の音声の抑制制御に係る処理の流れを示すフローチャートである。
【発明を実施するための形態】
【００１５】
以下、本発明の実施の形態について説明する。なお、本実施形態では、携帯電子機器の一例として、携帯電話装置について説明する。また、本発明は携帯電子機器に限られるものではなく、携帯電子機器が各種機能を実行する方法、携帯電子機器に各種機能を実行させるためのプログラム、及びこのプログラムを記憶した記憶媒体にも適用可能である。また、本発明の携帯電子機器は、これに限られず、例えば、ＰＤＡ（Ｐｅｒｓｏｎａｌ  Ｄｉｇｉｔａｌ  Ａｓｓｉｓｔａｎｔ）、通信機能を備えたパーソナルコンピュータ、及びこれらに接続される通信モジュール等、様々な携帯電子機器に適用可能である。
【００１６】
図１は、本実施形態に係る携帯電話装置１の外観斜視図である。
携帯電話装置１は、筐体２を備える。筐体２には、正面部に、タッチパネル１０と、音声入力部としてのマイク１３と、音声出力部としてのスピーカ１４とが配置され、背面部（不図示）に、カメラ１５（図２参照）が配置される。
【００１７】
タッチパネル１０は、表示部１１と、タッチセンサ１２とを備える（図２参照）。表示部１１は、液晶表示パネル又は有機ＥＬ（エレクトロルミネッセンス）表示パネル等である。タッチセンサ１２は、静電容量方式又は抵抗膜方式等のセンサ等により構成されており、表示部１１に重畳する領域に設けられている。タッチセンサ１２は、携帯電話装置１のユーザの指及びタッチペン等の物体の接触による入力操作を検出し、接触が検出されたタッチセンサ１２の位置を示す位置情報を後述の制御部２２に出力する。
【００１８】
マイク１３は、携帯電話装置１のユーザが通話時に発した音声及び携帯電話装置１の外部で発生した音声の入力を受け付ける。なお、外部で発生した音声は、例えば、人間が発する音声、音楽等の演奏音、電子機器が発した音であるが、これに限らない。
スピーカ１４は、携帯電話装置１のユーザの通話相手が発した音声、後述の記憶部に記憶されている音楽データに対応する音及び携帯電話装置１の外部で発生した音声を出力するために用いられる。なお、本実施形態では、携帯電話装置１は、イヤホン又はヘッドホン等の外部機器３０を接続可能である。そして、携帯電話装置１に接続されたイヤホン又はヘッドホン等の外部機器３０は、音声出力部として機能し、携帯電話装置１のユーザの通話相手が発した音声及び携帯電話装置１の外部で発生した音声を出力する。
【００１９】
図２は、携帯電話装置１の機能構成を示すブロック図である。
携帯電話装置１は、上述した、タッチパネル１０（表示部１１及びタッチセンサ１２）と、マイク１３と、スピーカ１４と、カメラ１５とを備える。また、携帯電話装置１は、通信部１６と、加速度センサ１７と、出力端子１８と、振動モータ１９と、振動検出部２０と、記憶部２１と、制御部２２とを備える。
【００２０】
カメラ１５は、後述の制御部２２の制御により撮像を行う。
通信部１６は、メインアンテナ（図示省略）とＲＦ回路部（図示省略）とを備える。通信部１６は、所定の使用周波数帯で基地局等の外部装置と通信を行う。具体的には、通信部１６は、上記のメインアンテナによって受信した信号を復調処理し、処理後の信号を制御部２２に供給する。また、通信部１６は、制御部２２から供給された信号を変調処理し、上記のメインアンテナを介して外部装置（基地局）に送信する。
【００２１】
加速度センサ１７は、例えば、ＭＥＭＳ（Ｍｉｃｒｏ  Ｅｌｅｃｔｒｏ  Ｍｅｃｈａｎｉｃａｌ  Ｓｙｓｔｅｍ）技術を利用した加速度センサ等であり、筐体２にかかる加速度を検出し、検出された加速度を後述の制御部２２に出力する。
【００２２】
出力端子１８は、スピーカ１４に出力する音声の信号を外部機器３０に出力するための端子である。出力端子１８にイヤホン又はヘッドホン等の外部機器３０が接続されたことに応じて、後述の制御部２２の制御によって、出力端子１８からスピーカ１４に出力する音声の信号が出力される。
【００２３】
振動モータ１９は、モータ軸の先端に、分銅が取り付けられたモータである。この分銅は、重心がモータ軸の中心から偏るように取り付けられている。振動モータ１９は、回転すると、分銅の重心不釣り合いに起因する振動が発生し、筐体２を振動させる。
【００２４】
振動検出部２０は、振動モータ１９に流れる電流値を監視して、振動モータ１９が駆動していることを検出する。振動検出部２０は、振動モータ１９が駆動していることを検出すると、振動モータ１９が駆動して振動していることを示す検出情報を後述の制御部２２に出力する。なお、本実施形態では、振動検出部２０は、振動モータ１９に流れる電流値を監視して、振動モータ１９が駆動していることを検出することとしたが、これに限らず、後述の制御部２２により検出してもよい。
【００２５】
記憶部２１は、例えば、フラッシュＲＯＭ及びＲＡＭ等により構成されており、制御部２２による演算処理に利用される。また、記憶部２１は、携帯電話装置１の内部で動作する１又は複数のアプリケーションを記憶する。なお、記憶部２１は、着脱可能な外部メモリを兼ねていてもよい。
【００２６】
制御部２２は、中央演算装置（ＣＰＵ）等により構成されており、携帯電話装置１の全体を制御する。制御部２２は、表示部１１、カメラ１５及び通信部１６等に対して制御を行う。また、制御部２２は、イヤホン又はヘッドホン等の外部機器３０が出力端子１８に接続された場合、携帯電話装置１のユーザの通話相手が発した音声及び携帯電話装置１の外部で発生した音声をイヤホン又はヘッドホン等の外部機器３０に出力する。
【００２７】
また、携帯電話装置１は、通常モードと、通話モードと、補聴モードとの３つの動作モード有しており、制御部２２は、通常モードと、通話モードと、補聴モードとを切り替える。
【００２８】
通常モードは、携帯電話装置１が通話モードと補聴モードとのいずれでもない状態を示す動作モードである。
通話モードは、携帯電話装置１の通話時に係る状態を示す動作モードである。制御部２２は、通話モードにおいて、通信部１６を介した通話における通話相手の音声をスピーカ１４から出力する。
補聴モードは、携帯電話装置１の補聴機能動作時に係る状態を示す動作モードである。制御部２２は、補聴部として機能し、補聴モードにおいて、マイク１３により受け付けられた音声（マイク１３により集音された音）を、スピーカ１４に出力する。また、制御部２２は、出力端子１８にイヤホン又はヘッドホン等の外部機器３０が接続されている場合、マイク１３により受け付けられた音声を、イヤホン又はヘッドホン等の外部機器３０に出力する。以下に、補聴モードにおける制御部２２の処理の詳細について説明する。
【００２９】
制御部２２は、イベント検出部として機能し、筐体２の動きを伴うイベントが発生したことを検出する。
具体的には、制御部２２は、加速度センサ１７により加速度が検出され、当該加速度が入力されたことに応じて、加速度が所定値以上であるか否かを判定する。制御部２２は、入力された加速度が所定値以上である場合、加速度に係るイベントが発生したことを検出する。
【００３０】
また、制御部２２は、タッチセンサ１２により入力操作が検出され、タッチセンサ１２における接触位置を示す位置情報が入力された場合、入力操作に係るイベント、すなわち、タッチイベントが発生したことを検出する。
また、制御部２２は、振動検出部２０により振動モータ１９の駆動が検出され、当該制御部２２に検出情報が入力された場合、振動に係るイベントが発生したことを検出する。
【００３１】
制御部２２は、加速度センサに係るイベント、タッチイベント、及び振動に係るイベントが発生したことを検出したことに応じて、マイク１３により入力された音声又はスピーカ１４により出力される音声の抑制制御を行う。
【００３２】
ここで、制御部２２は、タッチイベントが発生した場合、以下のように音声の抑制制御を行う。すなわち、制御部２２は、タッチイベントが所定時間に所定回数以上（例えば、２秒間に３回以上）検出された場合、マイク１３により入力された音声又はスピーカ１４により出力される音声の抑制制御を一定時間行う。
【００３３】
制御部２２は、音声の抑制制御を行う場合、マイク１３により入力された音声の全帯域のゲイン又はスピーカ１４により出力される音声の全帯域のゲインを下げる調整、すなわち、音圧を下げる調整を一定時間行うことによって抑制制御を行う。
【００３４】
ここで、制御部２２は、イベントの種別に応じて、音声の抑制制御の度合いを変更するようにしてもよい。例えば、制御部２２は、加速度に係るイベント又はタッチイベントが発生したことを検出した場合、マイク１３により入力された音声の全帯域のゲイン又はスピーカ１４により出力される音声の全帯域のゲインを第１の値（例えば、１０デシベル）下げるように調整するようにしてもよい。
【００３５】
また、制御部２２は、振動に係るイベントが発生したことを検出した場合、マイク１３により入力された音声の全帯域のゲイン又はスピーカ１４により出力される音声の全帯域のゲインを第２の値（例えば、３０デシベル）下げるように調整するようにしてもよい。なお、制御部２２は、振動に係るイベントが発生したことを検出した場合、マイク１３により入力された音声を遮断するようにしてもよい。また、制御部２２は、振動に係るイベントが発生したことを検出した場合、振動音に対応する帯域のゲインを第２の値下げるように調整してもよい。
【００３６】
また、制御部２２は、マイク１３により入力された音声又はスピーカ１４により出力される音声の抑制制御を行っている場合に、当該音声の抑制制御が行われていることを、表示部１１への表示と、スピーカ１４への出力との少なくともいずれかによって報知する。
【００３７】
具体的には、制御部２２は、表示部１１を用いて報知する場合、当該音声の抑制制御が行われていることを示す文字列及び画像の少なくともいずれかを表示部１１に表示させる。また、制御部２２は、スピーカ１４を用いて報知する場合、当該音声の抑制制御が行われていることを示す音声をスピーカ１４に出力させる。
【００３８】
続いて、携帯電話装置１が補聴モードである場合の制御部２２の処理の流れについて説明する。図３は、本実施形態に係る携帯電話装置１の音声の抑制制御に係る処理の流れを示すフローチャートである。なお、本フローチャートでは、タッチセンサ１２、マイク１３、加速度センサ１７、振動検出部２０は動作しているものとする。
【００３９】
ステップＳ１において、制御部２２は、加速度センサ１７から加速度が入力されたか否かを判定する。制御部２２は、この判定がＹＥＳの場合、ステップＳ２に処理を移し、この判定がＮＯの場合、ステップＳ４に処理を移す。
【００４０】
ステップＳ２において、制御部２２は、加速度センサ１７から入力された加速度が所定値以上か否かを判定する。制御部２２は、この判定がＹＥＳの場合、ステップＳ３に処理を移し、この判定がＮＯの場合、ステップＳ４に処理を移す。
【００４１】
ステップＳ３において、制御部２２は、加速度に係るイベントが発生したものとして、マイク１３により入力された音声の全帯域のゲイン又はスピーカ１４により出力される音声の全帯域のゲインを一定時間下げる調整を行う。
【００４２】
ステップＳ４において、制御部２２は、タッチセンサ１２から、タッチセンサ１２における接触位置を示す位置情報が入力されたか否かを判定する。制御部２２は、この判定がＹＥＳの場合、ステップＳ５に処理を移し、この判定がＮＯの場合、ステップＳ７に処理を移す。
【００４３】
ステップＳ５において、制御部２２は、タッチイベントが発生したものとして、所定時間にわたり新たにタッチイベントが発生したか否かを監視する。そして、制御部２２は、タッチイベントが所定時間に所定回数以上検出したか否かを判定する。制御部２２は、この判定がＹＥＳの場合、ステップＳ６に処理を移し、この判定がＮＯの場合、ステップＳ７に処理を移す。
【００４４】
ステップＳ６において、制御部２２は、所定時間にタッチイベントが所定回数以上発生したものとして、マイク１３により入力された音声の全帯域のゲイン又はスピーカ１４により出力される音声の全帯域のゲインを一定時間下げる調整を行う。
【００４５】
ステップＳ７において、制御部２２は、振動検出部２０から、検出情報が入力されたか否かを判定する。制御部２２は、この判定がＹＥＳの場合、ステップＳ８に処理を移し、この判定がＮＯの場合、ステップＳ９に処理を移す。
【００４６】
ステップＳ８において、制御部２２は、振動に係るイベントが発生したものとして、マイク１３により入力された音声の全帯域のゲイン又はスピーカ１４により出力される音声の全帯域のゲインを一定時間下げる調整を行う。
【００４７】
ステップＳ９において、制御部２２は、携帯電話装置１において補聴モードが継続しているか否かを判定する。制御部２２は、この判定がＹＥＳの場合、ステップＳ１に処理を移し、この判定がＮＯの場合、ステップＳ１０に処理を移す。
ステップＳ１０において、制御部２２は、携帯電話装置１は、音声のゲインが調整された状態である場合、音声のゲインを元に戻す調整を行うことで調整される前の状態に初期化して、本フローチャートに係る処理を終了する。また、制御部２２は、携帯電話装置１は、音声のゲインが調整されていない状態である場合、音声のゲインの調整を行わずに、本フローチャートに係る処理を終了する。
【００４８】
以上、本実施形態によれば、携帯電話装置１は、制御部２２により、イベントが発生したことを検出されたことに応じて、マイク１３により入力された音声又はスピーカ１４により出力される音声の抑制制御を行い、抑制制御された音声をスピーカ１４に出力する。
【００４９】
このようにすることで、携帯電話装置１は、筐体２の動きを伴うイベントの発生に起因する音声を抑制して、耳障りで通常音声より大きい振動起因のノイズを抑え、補聴機能が動作している場合の音声品質が劣化することを抑制することができる。
【００５０】
また、携帯電話装置１は、制御部２２により、マイク１３により入力された音声のゲイン又はスピーカ１４により出力される音声のゲインの抑制制御を行う。よって、携帯電話装置１は、マイク１３により入力された音声のゲイン調整によって、マイク１３により入力された音声に含まれるノイズを軽減し、音声品質が劣化することを抑制することができる。
【００５１】
また、携帯電話装置１は、制御部２２により、加速度センサ１７により検出された加速度が所定値以上である場合、加速度に係るイベントが発生したことを検出する。加速度に係るイベントが発生した場合、携帯電話装置１がユーザ等によって移動中であり、携帯電話装置１が他の物体と接触して雑音が発生している可能性又は風切り音が発生している可能性が高い。このような状況において、携帯電話装置１は、音声の抑制制御を行い、雑音がスピーカ１４、イヤホン又はヘッドホン等の外部機器３０に出力されることを抑制することができる。
【００５２】
また、携帯電話装置１は、制御部２２により、タッチセンサ１２により入力操作が検出された場合、タッチイベントが発生したことを検出する。入力操作が検出された場合、タッチセンサ１２がユーザの指又はタッチペンと接触して雑音が発生している可能性が高い。このような状況において、携帯電話装置１は、音声の抑制制御を行い、雑音がスピーカ１４、イヤホン又はヘッドホン等の外部機器３０に出力されることを抑制することができる。
【００５３】
また、携帯電話装置１は、タッチイベントが所定時間に所定回数以上検出された場合に、マイク１３により入力された音声又はスピーカ１４により出力される音声の抑制制御を行う。タッチイベントが所定時間に所定時間以上検出された場合、ユーザが携帯電話装置１においてメールの入力等をしている可能性が高く、雑音が連続して発生している可能性が高い。このような状況において、携帯電話装置１は、音声の抑制制御を行い、雑音がスピーカ１４、イヤホン又はヘッドホン等の外部機器３０に出力されることを抑制することができる。
【００５４】
また、携帯電話装置１は、制御部２２により、振動検出部２０により振動モータ１９の駆動が検出された場合、振動に係るイベントが発生したことを検出する。振動モータ１９が振動している場合、タッチセンサ１２から、振動にかかる雑音が発生する。このような状況において、携帯電話装置１は、音声の抑制制御を行い、雑音がスピーカ１４、イヤホン又はヘッドホン等の外部機器３０に出力されることを抑制することができる。
【００５５】
また、携帯電話装置１は、制御部２２により、音声の抑制制御が行われていることを表示部１１又はスピーカ１４によって報知する。このようにすることで、携帯電話装置１は、ユーザに、携帯電話装置１が不具合による音声出力の低下ではないことを認識させることができる。
【００５６】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００５７】
本実施形態では、制御部２２により、加速度センサ１７により検出された加速度が所定値以上である場合、加速度に係るイベントが発生したことを検出することとしたが、これに限らない。例えば、携帯電話装置１に１又は複数の角速度センサを設け、制御部２２により、当該角速度センサにより検出された角速度が予め定められた値以上であるか否かを判定するようにしてもよい。そして、携帯電話装置１は、制御部２２により予め定められた値以上であると判定された場合についても、加速度に係るイベントが発生したものとしてもよい。
【００５８】
また、制御部２２は、タッチセンサ１２等を介して携帯電話装置１のユーザから所定の操作を受け付けた場合において、加速度センサに係るイベント、タッチイベント、及び振動に係るイベントが発生したことを検出したことに応じて、マイク１３により入力された音声又はスピーカ１４により出力される音声の抑制制御を行うこととしてもよい。このようにすることで、ユーザが状況に応じて音声の抑制制御を行うか否かについて決定することができ、状況に応じて補聴機能が動作している場合の音声品質が劣化することを抑制することができる。
【００５９】
また、制御部２２は、音声の抑制制御が行われていることを、表示部１１への表示と、スピーカ１４への出力との少なくともいずれかによって報知することとしたがこれに限らない。例えば、携帯電話装置１にＬＥＤ等の発光素子を設け、制御部２２により、この発光素子を所定のパターンで発光させることによって音声の抑制制御が行われていることを報知するようにしてもよい。このようにすることで、表示部１１及びスピーカ１４が他の用途に使用されている場合であっても音声の抑制制御が行われていることを報知することができる。
【符号の説明】
【００６０】
１  携帯電話装置
２  筐体
１０  タッチパネル
１２  タッチセンサ
１３  マイク
１４  スピーカ
１７  加速度センサ
１８  出力端子
１９  振動モータ
２０  振動検出部
２１  記憶部
２２  制御部
３０  外部機器
【図１】
0005748594.tif 000002
【図２】
0005748594.tif 000003
【図３】
0005748594.tif 000004